(57)【特許請求の範囲】
【請求項１】
音声の記録及び再生を行うことが可能な音声記録再生装置と双方向のワイヤレス通信を行うことが可能な遠隔操作装置において、
前記音声記録再生装置を制御するための操作スイッチと、
前記操作スイッチの操作に応答して前記音声記録再生装置の動作を制御する制御信号を発生させる制御部と、
前記制御信号を前記音声記録再生装置に送信する送信手段と、
前記音声記録再生装置からの音声信号及び前記音声記録再生装置の動作状態を示す状態信号を受信する受信手段と、
前記受信した音声記録再生装置からの音声信号を再生する音声再生部と、
前記受信した状態信号より前記音声記録再生装置が録音動作を行っていると判断したときには、前記受信した音声記録再生装置からの音声信号の再生を禁止する禁止手段と、
を具備したことを特徴とする遠隔操作装置。
【請求項２】
前記状態信号として前記音声記録再生装置のバッテリチェック電圧に係る信号を受信し、このバッテリチェック電圧が警告レベルであるかどうかを検出する電圧検出手段を更に有し、
前記禁止手段は、前記電圧検出手段でバッテリチェック電圧が警告レベル以下であることを検出した際には前記受信した音声記録再生装置からの音声信号の再生を禁止することを特徴とする請求項１に記載の遠隔操作装置。
【請求項３】
前記状態信号として前記音声記録再生装置との通信電波の強度に係る信号を受信し、この通信電波の強度に係る信号が所定レベル以下であるか否かを検出する電波強度検出手段を更に有し、
前記禁止手段は、前記電波強度検出手段で通信電波の強度が所定レベル以下であることを検出した際には前記受信した音声記録再生装置からの音声信号の再生を禁止することを特徴とする請求項１に記載の遠隔操作装置。
【請求項４】
前記禁止手段により再生を禁止した後に、前記送信手段により前記音声記録再生装置へ音声信号の出力を禁止する制御信号を送信することを特徴とする請求項１に記載の遠隔操作装置。
【請求項５】
前記受信した状態信号より前記音声記録再生装置が録音動作を行っていないと判断したときには、前記受信した音声記録再生装置からの音声信号の再生を許可することを特徴とする請求項１に記載の遠隔操作装置。
【発明の詳細な説明】
【０００１】
【発明の属する技術分野】
本発明は、リモコン機能を備えた音声記録再生装置に係り、特に該装置本体における録音等の動作状態を容易に認識でき、且つ使いやすく誤操作のないように音声記録再生装置を遠隔操作可能な遠隔操作装置に関する。
【０００２】
【従来の技術】
近年、音声信号をデジタルデータに変換した後、書き換え可能な記憶媒体としてのフラッシュメモリに記憶し、このフラッシュメモリに記憶された音声データをアナログ化して再生するという携帯型の音声記録再生装置（以降、ＩＣレコーダという）が実用化されている。
【０００３】
このＩＣレコーダは、前記フラッシュメモリに設けられた音声データ領域及びインデックス情報領域に、デジタル信号に変換された音声データ及び該音声データに関するインデックス情報（音声データのアドレス、録音日時等の情報）を記憶するようになっている。
【０００４】
また、前記ＩＣレコーダに限らず、一部の録再可能な音楽プレーヤーは、携帯性及び操作性を少しでも良くするために、従来、本機側に設けていた操作部または本機側に従属していた接続コード等を、ワイヤレスリモコンやワイヤレスヘッドフォンのようなコードレスタイプに変換して構成するようにしている。
【０００５】
例えば、実開平６−１７６２８０号公報に記載の提案では、本機側（音声レコーダ等）から電波で音声信号をヘッドフォンに送信することが述べられている。しかも、本機側から送信される音声信号等の電波強度が、ヘッドフォン側の受信レベルに満たないとき、ヘッドフォンが本機から離れた状態（あるいは離れている状態）であるものと判断して、操作者が気づくような警報音を発するように制御することが可能である。また、本機側の受信レベルが所定値以下のときも同様に警報音を発するように制御される。
【０００６】
【発明が解決しようとする課題】
しかしながら、上述した実開平６−１７６２８０号公報に記載の発明による警報システムは、特に再生動作時に限って有効な手段であり、しかも装置本体からヘッドフォンに対して一方的に音声信号等のみを送信し続けるような使用形態において効果が期待できる。ところが、同様な使用形態として、録音動作時の録音状態をモニターするような場合を考えると、ヘッドフォンに出力する音声信号は、記録直前の音声信号をアンプで増幅して用いることが多く、特にデジタルレコーダは、メモリに記憶する以前（厳密に言えば符号化処理直前）の音声信号をモニターしているので、メモリに係わる本質的な録音異常が発生しても前記警報システムでは検出することが不可能である。また、前記ヘッドフォンには、リモコンのような操作部や表示部が設けられていないので、操作者がその録音異常に対処することもできず、またその録音異常を含む動作状態を操作者が認識することもできないといった問題点があった。
【０００７】
そこで、本発明は上記問題点に鑑みてなされたもので、音声記録再生装置が録音動作を行っていると判断したときには、受信した音声記録再生装置からの音声信号の再生を禁止するように制御することで、録音等の動作状態を容易に確認することができるとともに、使いやすく誤操作がないように音声再生記録装置を遠隔操作できる遠隔操作装置の提供を目的とする。
【０００８】
請求項１の発明による遠隔操作装置は、音声の記録及び再生を行うことが可能な音声記録再生装置と双方向のワイヤレス通信を行うことが可能な遠隔操作装置において、前記音声記録再生装置を制御するための操作スイッチと、前記操作スイッチの操作に応答して前記音声記録再生装置の動作を制御する制御信号を発生させる制御部と、前記制御信号を前記音声記録再生装置に送信する送信手段と、前記音声記録再生装置からの音声信号及び前記音声記録再生装置の動作状態を示す状態信号を受信する受信手段と、前記受信した音声記録再生装置からの音声信号を再生する音声再生部と、前記受信した状態信号より前記音声記録再生装置が録音動作を行っていると判断したときには、前記受信した音声記録再生装置からの音声信号の再生を禁止する禁止手段と、を具備したことを特徴とする。
【００１０】
請求項２の発明による遠隔操作装置は、請求項１に記載の遠隔操作装置において、前記状態信号として前記音声記録再生装置のバッテリチェック電圧に係る信号を受信し、このバッテリチェック電圧が警告レベルであるかどうかを検出する電圧検出手段を更に有し、前記禁止手段は、前記電圧検出手段でバッテリチェック電圧が警告レベル以下であることを検出した際には前記受信した音声記録再生装置からの音声信号の再生を禁止することを特徴とする。
【００１１】
請求項３の発明による遠隔操作装置は、請求項１に記載の遠隔操作装置において、前記状態信号として前記音声記録再生装置との通信電波の強度に係る信号を受信し、この通信電波の強度に係る信号が所定レベル以下であるか否かを検出する電波強度検出手段を更に有し、前記禁止手段は、前記電波強度検出手段で通信電波の強度が所定レベル以下であることを検出した際には前記受信した音声記録再生装置からの音声信号の再生を禁止することを特徴とする。
【００１３】
請求項４の発明による遠隔操作装置は、請求項１に記載の遠隔操作装置において、前記禁止手段により再生を禁止した後に、前記送信手段により前記音声記録再生装置へ音声信号の出力を禁止する制御信号を送信することを特徴とする。
【００１４】
請求項５の発明による遠隔操作装置は、請求項１に記載の遠隔操作装置において、前記受信した状態信号より前記音声記録再生装置が録音動作を行っていないと判断したときには、前記受信した音声記録再生装置からの音声信号の再生を許可することを特徴とする。
【００１５】
【発明の実施の形態】
発明の実施の形態について図面を参照して説明する。
第１の実施の形態：
（構成）
図１は本発明に係る遠隔操作装置の一実施の形態を示し、該装置の概略構成を示すブロック図である。
【００１６】
図１に示すように、本実施の形態の遠隔操作装置（以下、リモコンと称して説明することもある）は、例えば音声録音機能を有する音声記録再生装置を遠隔操作制御するために設けられたもので、音声を電気信号に変換するマイクロフォン（図中にはＭＩＣと示し、以下、ＭＩＣと称す）１２を具備しており、このＭＩＣ１２からの音声出力は、音声入力部１３に入力される。
【００１７】
音声入力部１３は、例えば図示しないマイクアンプを含んで構成され、制御部１７によって増幅率が自在に制御可能に構成されている。このマイクアンプで増幅されたアナログの音声信号は、送信機能を有する送受信部１４に入力されて、所定の形式に変調された後、アンテナ１５から所定の周波数の電波として出力される。
【００１８】
また、遠隔操作装置には、使用者が操作を行うための操作部１８が設けられており、この操作部１８は、例えば録音スイッチ（ＲＥＣ），再生スイッチ（ＰＬＡＹ），停止スイッチ（ＳＴＯＰ），早送りスイッチ（ＦＦ），早戻しスイッチ（ＲＥＷ），メニュースイッチ（ＭＥＮＵ），ホールドスイッチ（ＨＯＬＤ）等の各種スイッチが機能別に配設されている。
【００１９】
表示部１６は、例えば液晶ディスプレイ（ＬＣＤ）等の表示部材で構成されたものであり、前記操作部１８のいずれかのスイッチ操作により、所定のシーケンスが開始したときの動作モード、またはその後の動作状況を表示する。
【００２０】
例えば、表示部１６は、録音スイッチ（ＲＥＣ）を押下した場合には、録音の経過時間、録音可能な残り時間、及びファイルナンバー等を表示する。また、メニュースイッチ（ＭＥＮＵ）を押した場合は、マイク感度（高／低）、録音モード（標準／ロング）、及びアラーム（オン／オフ）等の機能選択に関連した表示を行う。さらに、後述する制御部１７が時計機能を有しているときは、現在日時の表示も行う。また、各シーケンスの動作状況に応じて、リモコン（遠隔操作装置）及び装置本体のバッテリーチェック判定結果も表示する。
【００２１】
制御部１７は、例えばＣＰＵで構成されたものであり、前記操作部１８のスイッチ入力に応じて、前記音声入力部１３，送受信部１４，表示部１６，及び音声再生部１９を統括的に制御する。具体的には、制御部１７は、前記操作部１８のスイッチ入力を認識するとともに、この認識結果に基づき、音声入力部１３内のマイクアンプの増幅率可変制御、送受信部１４における音声信号及びリモコン制御信号の送受信制御、表示部１６における各種動作モードまたは動作状態（操作状態）等の表示制御、音声再生部１９における再生制御等を行う。
【００２２】
また、本実施の形態の遠隔操作装置には、単にリモコン操作信号を送信するだけでなく、リモコン操作する音声記録再生装置との間で双方向にリモコン制御信号や音声信号を送受信可能な送受信部１４と、音声再生部１９に対する音声信号の入出力を制御するための禁止手段としての２つのスイッチ１０，２０とが設けられている。つまり、この送受信部１４は、後述する音声記録再生装置本体の送受信部２２（図２参照）と一対で機能する。また、この送受信部１４は、１個の送信機能と１個の受信機能とのそれぞれ別々の回路を備えて構成されており、各々独立してオン／オフすることができるようになっている。さらに、この送受信部１４では、送信の送信機能と受信機能を同時に働かせて双方向に通信することも可能である。例えば、前記制御部１７は、前記音声入力部１３から出力される音声信号を検出すると、音声記録再生装置本体に音声信号を送信するために、前記送受信部１４における送信機能をオンにする。同様に、制御部１７は、所定シーケンスの開始毎にも制御信号を送信するので、前記送受信部１４における送信機能をオンにする。
【００２３】
このとき、禁止手段として音声入力部１３，音声再生部１９間に設けられたスイッチ１０がオンし、スイッチ２０がオフしていると、音声入力部１３の出力信号を音声再生部１９にも入力することができる。すなわち、録音時に装置本体に音声信号を送信しながらヘッドフォン１１でモニターすることができるようになっている。なお、前記スイッチ１０，２０は、制御部１７によって各スイッチのオン／オフが制御される。
【００２４】
一方、音声記録再生装置本体から送信される音声信号は、前記送受信部１４における受信機能で受信した後に復調してからオン状態のスイッチ２０（スイッチ１０はオフ）を介して音声再生部１９に出力される。音声再生部１９は、復調された音声信号を所定のレベルまで増幅して、ヘッドフォン１１に出力する。これにより、遠隔操作装置側で音声記録再生装置から送信された音声信号をヘッドフォン１１を介して再生することができる。
【００２５】
なお、前記スイッチ１０及びスイッチ２０は、制御部１７によってオン／オフが制御されるもので、例えば録音動作時または再生動作時に自動的に切り換えられるようになっている。また、制御部１７は、録音時の音声信号をモニターするか否かに応じて、操作部１８のメニュースイッチ（ＭＥＮＵ）による操作に基づき、選択的にスイッチ１０をオン、またはオフするように制御することも可能である。
【００２６】
図２に、前記遠隔操作装置と双方向にワイヤレス通信が可能であり、前記遠隔操作装置が適用される音声記録再生装置の構成例を示すブロック図が示されている。
図２に示すように、本実施の形態の音声記録再生装置は、音声録音機能を備え、前記遠隔操作装置によって遠隔操作制御がなされるもので、コーデック２３及びデジタル信号処理部（図中にはＤＳＰと示し、以下、ＤＳＰと称す）２６を具備している。コーデック２３は、図示しないローパスフィルタ，Ａ／Ｄ変換器，及びＤ／Ａ変換器等を含んで構成されている。
【００２７】
図１の遠隔操作装置から音声信号が送信されると、送信された音声信号は、図２の送受信部２２の受信機能で受信された後復調されて、コーデック２３のローパスフィルタに入力される。このとき、音声信号に付帯する制御信号は、復調時に弁別されてシステム制御部２７に入力される。システム制御部２７は、上記制御信号のコード内容に応じて、録音及び再生など予め決められた所定のシーケンスを実行する。
【００２８】
前記コーデック２３のローパスフィルタにより不要な周波数帯域をカットされた音声信号は、図示はしないがコーデック２３内の次段のＡ／Ｄ変換器に入力される。該Ａ／Ｄ変換器は、供給されたアナログの音声信号を所定の周波数でサンプリング処理することにより、デジタル信号に変換し、デジタル信号処理部（ＤＳＰともいう）２６に出力する。
【００２９】
デジタル信号処理部２６は、録音時又は再生時に録音信号又は再生信号に対しそれぞれ録音又は再生するのに必要なデジタル処理を施すもので、これらの処理はシステム制御部２７によって制御されるようになっている。
【００３０】
例えば録音時には、デジタル信号処理部２６は、システム制御部２７に制御されて前記Ａ／Ｄ変換器の出力信号をフレーム単位で一定のフォーマットのデータとなるように圧縮変換処理（符号化処理）を施し、符号化したデータを得る。この符号化されたデータは、一時的にシステム制御部２７内の図示しないバッファメモリに音声データとして記憶される。つまり、システム制御部２７は、デジタル信号処理部２６を制御することによって音声データを認識するとともに、この音声データを内部のバッファメモリに書き込み制御を行う。
【００３１】
前記システム制御部２７は、例えばＣＰＵで構成されており、該音声記録再生装置における各回路部全般の制御を行うものである。このシステム制御部２７には、前記デジタル信号処理部２６以外に、記憶手段としての記憶部（例えばメモリ）２８が接続されている。この記憶部２８は、不揮発性の半導体メモリ、例えばフラッシュメモリ等で構成されたものであり、録音時は前記デジタル信号処理部２６で符号化された音声データを、システム制御部２７の図示しないバッファメモリを介して記憶する。このとき、該記憶部２８には、音声データに関するインデックス情報も音声データとともに記憶される。
【００３２】
一方、再生時には、前記デジタル信号処理部２６は、システム制御部２７が前記記憶部２８から逐次読み出す音声データをフレーム単位で伸長変換処理（復号化処理）を施し、復号化したデータを得る。この復号化されたデジタル信号は、コーデック２３のＤ／Ａ変換器に入力される。該Ｄ／Ａ変換器は、供給されたデジタルの音声信号にアナログ変換処理を施すことにより、アナログ信号の音声信号に変換する。その後、このアナログ信号に変換された音声信号は、図示はしないがコーデック２３内の次段のローパスフィルタで不要な周波数帯域がカットされてオン状態のスイッチ２９を介して音声再生部２４に出力され、該音声再生部２４によって増幅された後、スピーカ２５に出力することにより、該スピーカ２５から音声として再生されることになる。また、この音声信号は、送受信部２２も供給され、該送受信部２２の送信機能で所定の形式に変調された後、アンテナ２１より図１に示す遠隔操作装置（リモコン）に送信される。
【００３３】
なお、前記スイッチ２９は、システム制御部２７によってオン／オフが制御されるもので、例えば録音動作時または再生動作時に自動的に切り換えられるようになっている。また、システム制御部２７は、再生時の音声信号をスピーカ２５でモニターするか否かに応じて、前記リモコンの操作部１８のメニュースイッチ（ＭＥＮＵ）の操作に基づき、スイッチ２９をオンまたはオフするように制御することも可能である。
【００３４】
（作用）
次に、本発明に係る音声記録再生装置及び遠隔操作装置の作用について図３乃至図６を参照しながら詳細に説明する。なお、図３は音声記録再生装置のシステム制御部における制御動作例を示すフローチャート、図４は遠隔操作装置の制御部における制御動作例を示すフローチャート、図５は主に音声記録再生装置の録音実行時におけるシステム制御部の制御動作例を示すフロチャート、図６は主に遠隔操作装置の制御部における制御動作例を示すフローチャートであり、図６（ａ）は本発明の特徴となる表示更新処理ルーチン、図６（ｂ）はバッテリーチェック処理ルーチンをそれぞれ示している。
まず、図２に示す音声記録再生装置の主となる制御動作を図３を参照しながら説明する。
いま、図２に示す音声記録再生装置の電源が投入されると、該装置内のシステム制御部２７が起動し、図３に示す処理ルーチンを実行させる。つまり、システム制御部２７は、ステップＳ１の処理で所定の初期設定を行い、その後、続くステップＳ２の処理でタイマスタートを実行するように制御する。なお、このタイマは、所定時間経過後に装置本体が通常の動作モードから待機モード（低消費電流モード）に入るための時間を計時する等に用いるものである。
【００３５】
装置本体が動作モードに入ると、システム制御部２７は、前記タイマの計時が所定の時間をオーバするまで、続くステップＳ３による処理でリモコン信号が受信されたか否かの判断処理を行うことにより、リモコン信号の受信待機状態を維持する。この判断処理で、待機中にリモコン信号を受信したと判定された場合には、システム制御部２７は、受信した制御信号のコード内容を検出するために後続のステップＳ４〜１０，及びステップＳ１１に示す判定処理を行う。
【００３６】
なお、これらの判定処理は、録音スイッチ（ＲＥＣ），再生スイッチ（ＰＬＡＹ），早送りスイッチ（ＦＦ），早戻しスイッチ（ＲＥＷ），停止スイッチ（ＳＴＯＰ），メニュースイッチ（ＭＥＮＵ），消去スイッチ（ＥＲＡＳＥ）の順に、受信した制御信号と予め決められた各スイッチのコードとが、一致するか否かを参照することにより行う。
【００３７】
この場合、ステップＳ４による判断処理で検出した制御信号のコードが録音スイッチであると判定した場合には、システム制御部２７は、録音処理のサブルーチンであるステップＳ１２に処理を移行し、該サブルーチンを実行する。同様に、ステップＳ５による判断処理で前記コードが再生スイッチであると判定した場合には、再生処理のサブルーチンであるステップＳ１３に処理を移行し、ステップＳ６による判断処理で前記コードが早送りスイッチであると判定した場合には、早送り処理のサブルーチンであるステップＳ１４に処理を移行し、ステップＳ７による判断処理で前記コードが巻戻しスイッチであると判定した場合には、早戻し処理のサブルーチンであるステップＳ１５に処理を移行し、ステップＳ８の判断処理で前記コードが停止スイッチであると判定した場合には、停止処理のサブルーチンを示すステップＳ１６の処理に移行し、ステップＳ９の判断処理で前記コードがメニュースイッチであると判定した場合には、メニュー変更処理のサブルーチンであるステップＳ１７に処理を移行し、ステップＳ１０の判断処理で前記コードが消去スイッチであると判定した場合には、処理をステップＳ１８に移行して該処理にて消去処理を実行するように制御する。
【００３８】
そして、システム制御部２７は、サブルーチン実行後は、続くステップＳ１９の処理で上述したタイマを再スタートさせてメインループのステップＳ３に処理を戻す。
【００３９】
なお、前記早送り処理（ステップＳ１４），早戻し処理（ステップＳ１５），停止処理（ステップＳ１６），メニュー変更処理（ステップＳ１７），及び消去処理（ステップＳ１８）の各処理は、周知の技術手段を用いて実施しており、また、本発明の内容に直接関係しないので詳しい説明は省略する。
【００４０】
また、システム制御部２７は、前記ステップＳ４〜１０の判断処理で前述したいずれのスイッチコードにも該当しないものと判定した場合には、続くステップＳ１１の処理により、リモコンが通常の動作モードから待機モード（低消費電流モード）に入るときに送信されるタイムオーバコードの有無を検出し、このコードが検出された場合には、続くステップＳ２１の処理により、該装置本体が待機モードとなるように制御する。また、システム制御部２７は、ステップＳ２０の判断処理で、装置本体が自ら待機中にタイムオーバを検出した場合も前記ステップＳ２１の処理と同様に制御する。これにより、機器本体は待機モードとなる。
【００４１】
本例の音声記録再生装置では、待機モードに入ると、システム制御部２７の制御によって該装置本体を低消費電流動作状態にさせる。
【００４２】
具体的には、システム制御部２７は、前記ステップＳ２１の待機モードを実行すると、図２の送受信部２２，コーデック２３，音声再生部２４，デジタル処理部２６，及び記憶部２８の電源を遮断、もしくは各ブロックを構成する図示しないＩＣに設けられているチップイネーブル端子に、非選択信号を出力することにより、低消費電流状態にさせる。但し、送受信部２２の受信機能は、リモコンが送信する再起動信号を受信できるように受信待機状態を維持する。また、システム制御部２７は、自らも動作クロックを最も消費電流の少ない低速クロックに切換えて低消費電流状態となるように制御する。場合によっては、動作クロックをメインクロック（例えば、９．２８ＭＨｚ）からサブクロック（例えば、３２．７６８ｋＨｚ）に切換えて、その後スイッチ入力が検出されるまでメインクロックを完全に停止させるようにしても良い。
【００４３】
次に、図１に示す遠隔操作装置の主となる制御動作を図４を参照しながら説明する。なお、図４（ａ）は遠隔操作装置の制御部における制御動作例を示すフローチャート、図４（ｂ）は図４（ａ）に示す処理ルーチンに含まれる待機モード処理ルーチンを示すフロチャートである。
【００４４】
いま、図１に示す遠隔操作装置の電源が投入されると、該装置内の制御部１７が起動し、図４（ａ）に示す処理ルーチンを実行させる。つまり、制御部１７は、ステップＳ９０の処理で所定の初期設定を行い、その後、続くステップＳ９１の処理でタイマスタートを実行するように制御する。なお、このタイマは、所定時間経過後に該遠隔操作装置（リモコン）が通常の動作モードから待機モード（低消費電流モード）に入るための時間を計時する等に用いるものである。
【００４５】
遠隔操作装置が動作モードに入ると、制御部１７は、前記タイマの計時が所定の時間をオーバするまで、続くステップＳ９２による処理で図２に示す装置本体から送信される信号が受信されたか否かの判断処理を行うことにより、受信待機状態を維持する。この判断処理で、待機中に装置本体から送信された信号を受信したと判定した場合には、制御部１７は、ステップＳ９３に処理を移行し、該処理にて受信した制御信号のコード内容を検出してその都度検出したコード内容に対応した表示更新処理を行うように制御する。そして、続くステップＳ１１２の処理にて、タイマを再スタートさせて、メインループのステップＳ９２に処理を戻す。
【００４６】
一方、前記ステップＳ９２の判断処理で、装置本体の信号を受信しないと判定した場合には、制御部１７は、ステップＳ９４〜９９，及びステップＳ１００の各判定処理に示すスイッチ検出動作により、録音スイッチ（ＲＥＣ），再生スイッチ（ＰＬＡＹ），早送りスイッチ（ＦＦ），早戻しスイッチ（ＲＥＷ），停止スイッチ（ＳＴＯＰ），メニュースイッチ（ＭＥＮＵ），及び消去スイッチ（ＥＲＡＳＥ）の順に、オンしたスイッチがあるか否かを検出する。
【００４７】
この場合、ステップＳ９４による判断処理でオンされたスイッチが録音スイッチであると判定した場合には、制御部１７は、録音スイッチのコードを送信するサブルーチンであるステップＳ１０４に処理を移行し、該サブルーチンを実行する。同様に、ステップＳ９５による判断処理でオンされたスイッチが再生スイッチであると判定した場合には、再生スイッチのコードを送信するサブルーチンであるステップＳ１０５に処理を移行し、ステップＳ９６による判断処理でオンされたスイッチが早送りスイッチであると判定した場合には、早送りスイッチのコードを送信するサブルーチンであるステップＳ１０６に処理を移行し、ステップＳ９７による判断処理でオンされたスイッチが巻戻しスイッチであると判定した場合には、早戻しスイッチのコードを送信するサブルーチンであるステップＳ１０７に処理を移行し、ステップＳ９８による判断処理でオンされたスイッチが停止スイッチであると判定した場合には、停止スイッチのコードを送信するサブルーチンであるステップＳ１０８に処理を移行し、ステップＳ９９による判断処理でオンされたスイッチがメニュースイッチであると判定した場合には、メニュースイッチのコードを送信するサブルーチンであるステップＳ１０９に処理を移行し、ステップＳ１００による判断処理でオンされたスイッチが消去スイッチであると判定した場合には、消去スイッチのコードを送信するサブルーチンであるステップＳ１１０に処理を移行してそれぞれ実行する。
【００４８】
そして、制御部１７は、サブルーチン実行後は、続くステップＳ１１１の処理で上述したタイマを再スタートさせてメインループのステップＳ９２に処理を戻す。
【００４９】
なお、前記ステップＳ９４〜１００の判断処理ですべてのスイッチがオフしているものと判定した場合、制御部１８は、続くステップＳ１０１の判断処理により、前記タイマの計時時間が所定時間をオーバしたか否かを判定し、オーバーしたと判定した場合には、続くステップＳ１０２の処理で装置本体にタイムオーバコードを送信した後、待機モードのサブルーチンであるステップＳ１０３の処理を実行して、該リモコンを待機モードとなるように制御する。
【００５０】
本実施の形態の遠隔操作装置では、待機モードに入ると、装置本体と同様に制御部１７の制御によって該装置本体（リモコン）を低消費電流動作状態にさせる。
【００５１】
具体的には、制御部１７は、図１の音声入力部１３，送受信部１４，表示部１６，及び音声再生部１９の電源を遮断、または各ブロックを構成する図示しないＩＣに設けられているチップイネーブル端子に、非選択信号を出力することにより、低消費電流状態にさせる。
【００５２】
このとき、制御部１７は、装置本体（図２参照）と同様に自ら動作クロックを最も消費電流の少ない低速クロックに切換えて低消費電流状態となるように制御する。場合によって、動作クロックをメインクロック（たとえば、９．２８ＭＨｚ）からサブクロック（例えば、３２．７６８ｋＨｚ）に切換えて、その後通信が再開されるか、またはスイッチ入力が検出されるまでメインクロックを完全に停止させるようにしても良い。
【００５３】
次に、図４（ａ）のルーチンにて実行されるステップＳ１０３の待機モード処理について、さらに図４（ｂ）を参照しながら詳細に説明する。
図４（ａ）に示すルーチンのステップＳ１０３の待機モード処理が実行されると、制御部１７は、図４（ｂ）に示す待機モードのサブルーチンを起動する。
【００５４】
なお、この待機モードのシーケンスは、遠隔操作装置（リモコン）及び装置本体のどちらにも適用することができる。
【００５５】
制御部１７は、このサブルーチンを実行すると、まずステップＳ３０の処理にて上述したような低消費電流動作のための設定処理を行うように制御する。
【００５６】
そして、該待機モード処理が例えば装置本体に適用されている場合は、続くステップＳ３１の処理にて再起動信号受信の有無を検出しながら再起動信号が受信されるまで低消費電流を維持する。一方、遠隔操作装置に適用されている場合は、ステップＳ３２の処理にてスイッチ入力の有無を検出しながらスイッチ入力が発生するまで低消費電流動作を維持する。このように対応する制御部によって制御がなされるようになっている。
【００５７】
また、それぞれの場合において、システム制御部２７または制御部１７は、再起動信号を受信またはスイッチ入力を検出したときは、続くステップＳ３３の処理にて通常モードを設定してメインループにリターンする。
【００５８】
次に、図２の音声記録再生装置の録音実行時におけるシステム制御部の録音処理制御動作例を図５を参照しながら詳細に説明する。
いま、図２の音声記録再生装置において、図３に示すステップＳ１２の録音処理のサブルーチンが実行されると、システム制御部２７は、図５に示す録音処理ルーチンを起動する。つまり、録音が開始すると、システム制御部２７は、ステップＳ４０に処理を移行し、該処理にて後述するバッテリーチェックのサブルーチンが実行される。
【００５９】
その後、バッテリーチェック処理が完了すると、システム制御部２７は、続くステップＳ４１の処理にて、遠隔操作装置(リモコン）にこのバッテリーチェックによる判定結果を送信するとともに、ステップＳ４２の処理にて装置本体でもこの判定結果に基づいて録音シーケンス継続可否を決定する。この場合、Ｂ−ＮＧフラグ、またはＲ−ＮＧフラグが“１”のときは、録音シーケンスが正常に継続できないので、システム制御部２７は、ただちにステップＳ５６の録音終了処理のサブルーチンを実行してメインループにリターンする。また、前記各フラグがいずれも“０”のときは、システム制御部２７は、続くステップＳ６０の処理で再生モニターの選択を禁止するように制御する。具体的には、前述のスイッチ２０（図１参照）及びスイッチ２９（図２参照）をオフにする。この場合、スイッチ１０は、音声信号をモニターするか否かにより、オンまたはオフのどちらかに制御されていることになる。
【００６０】
そして、システム制御部２７は、続くステップＳ４３の処理にて、マイク感度（高／低），録音モード（標準／ロング），ファイルナンバー，及びこの音声データを記憶する音声データ記憶領域開始アドレス等の各種情報を、記憶部２８のインデックス情報領域に記憶するように制御する。
【００６１】
その後、システム制御部２７は、処理をステップＳ４４に移行し、該処理にて装置本体の受信信号に音声信号が含まれているか否かを検出し、音声信号が含まれていないものと判定した場合には、処理をステップＳ５７に移行し、含まれているものと判定した場合には、処理を続くステップＳ４７に移行する。また、このとき、音声信号が含まれている場合には、コーデック２３に入力する音声信号は、所定のサンプリング周波数で量子化されてデジタル信号に変換される。
【００６２】
そして、システム制御部２７は、ステップＳ４７の処理でデジタル信号処理部２６により音声信号を符号化するが、符号化そのものはフレーム単位で行い、続くステップＳ４８の判断処理にて音声データが所定フレーム数になるまで連続的に行う。
【００６３】
その後、システム制御部２７は、該システム制御部２７内の図示しないバッファメモリに記憶された音声データが、予め決められた所定のフレーム数（ステップＳ４８の処理で設定されたフレーム数）になると、続くステップＳ４９の処理で音声データを記憶部２８の音声データ記憶領域開始アドレスから順に書き込んで記憶するように制御する。
【００６４】
そして、システム制御部２７は、続くステップＳ５０の処理で、前記一連のシーケンスに伴う録音情報を、逐次遠隔操作装置（リモコン）に送信するように送信制御し、続くステップＳ５１の処理で前述と同様のバッテリーチェックのサブルーチンを実行する。なお、このバッテリチェック処理は、前記ステップＳＳ４４〜５０の実行中においても実行されるように制御すれば有効である。
【００６５】
また、システム制御部２７は、続くステップＳ５２の処理にて遠隔操作装置（リモコン）にバッテリーチェックの判定結果を送信するとともに、ステップＳ５３の処理にて装装本体でもこの判定結果に基づいて、録音シーケンス継続可否を決定する。この場合、Ｂ−ＮＧフラグ、またはＲ−ＮＧフラグが“１”のときは、録音シーケンスが正常に継続できないので、システム制御部２７は、ただちにステップＳ５６の録音終了処理のサブルーチンを実行してメインループにリターンする。また、前記各フラグがいずれも“０”のときは、システム制御部２７は、そのまま録音シーケンスを継続する。
【００６６】
なお、前記ステップＳ４４〜５３の一連の処理は、ステップＳ５４の判断処理により停止スイッチのコードが受信されるまで繰り返し行われるように制御される。また、このステップＳ５４の判断処理で、停止スイッチのコードを受信したと判定した場合には、システム制御部２７は、上記と同様ステップＳ５６の録音終了処理のサブルーチンを実行してメインループにリターンする。
【００６７】
前述のステップＳ４４の判断処理で、受信信号を音声信号が含まれていないと判定した場合には、システム制御部２７はステップＳ５７の処理で、前述と同様のバッテリーチェックのサブルーチンを実行する。また、システム制御部２７は、ステップＳ５８の処理で遠隔操作装置（リモコン）にこのバッテリーチェックの判定結果を送信するとともに、ステップＳ５９の処理で装置本体でもこの判定結果に基づいて、録音シーケンス継続可否を決定する。この場合、Ｂ−ＮＧフラグ、またはＲ−ＮＧフラグが“１”のときは、録音シーケンスが正常に継続できないので、システム制御部２７は、ただちに前記同様ステップＳ５６の録音終了処理のサブルーチンを実行してメインループにリターンする。
【００６８】
また、前記各フラグがいずれも“０”のときは、システム制御部２７は、続くステップＳ４５の処理で録音待機モードを設定する。このモードは、録音中に所定時間以上音声信号が受信されない場合に機能するもので、記憶部２８を待機状態にする等して電力等を大幅に低減することができるモードである。また、図示しない遠隔操作装置（リモコン）のモード選択で、録音開始以前にこのモードを設定することにより機能する。
【００６９】
その後、システム制御部２７は、続くステップＳ４６の処理で遠隔操作装置（リモコン）に録音待機状態を送信して、処理を前記ステップＳ４４に処理を戻す。つまり、装置本体は、音声信号を受信するまでリモコンに録音待機状態を送信しながら録音シーケンスを継続することになる。
【００７０】
次に、遠隔操作装置側での表示更新処理時における制御部の制御動作例について、図６（ａ）を参照しながら詳細に説明する。
【００７１】
いま、図１の遠隔操作装置において、図４に示すステップＳ９３の表示更新処理が実行されると、制御部１７は、図６（ａ）に示す表示更新処理ルーチンを起動する。つまり、制御部１７は、ステップＳ１２０に処理を移行し、該判断処理にてまず、現在処理中のシーケンスが正常に継続されているとき、このシーケンスが録音動作のものもであるか否かを判定し、録音動作のものであると判定した場合には、続くステップＳ１２１の処理にて再生モニターの選択を禁止するように制御する。つまり、制御部１７は、スイッチ２０を強制的にオフさせると同時に、この制御信号を装置本体側に送信し、これを受け装置本体側のシステム制御部２７はスイッチ２９も同時に強制的にオフさせる。
【００７２】
一方、前記ステップＳ１２０の判断処理で、録音動作でないものであると判定した場合には、制御部１７は、ステップＳ１２３の判断処理に処理を移行し、該判断処理にて再生動作であるか否かを判定し、再生動作であると判定した場合には、続くステップＳ１２４の処理にて再生モニターの選択を許可するように制御する。つまり、この再生モニタ選択許可処理では、制御部１７は、スイッチ２０及びスイッチ２９が、任意のタイミングでオン／オフできるように制御するとともに、装置本体側のシステム制御部２７に対しそれに必要な制御信号を送信する。こうして、制御部１７及び装置本体のシステム制御部２７の各制御によってスイッチ２０及びスイッチ２９がスイッチング可能状態となる。
【００７３】
また、前記ステップＳ１２３の判断処理で、再生動作でないものと判断した場合に処理をステップＳ１２２に移行する。
【００７４】
つまり、制御部１７は、前記ステップＳ１２３の判断処理で再生動作でないものと判断した場合や、前記ステップＳ１２１，ステップＳ１２４の処理が終了した場合には、続くステップＳ１２２の処理に移行し、この処理にて、受信した制御信号のコードに従って、表示部１６の表示内容を更新するように制御する。
【００７５】
また、制御部１７は、その他のシーケンスの実行中においても、必要に応じて上記同様の判定処理を行う。これにより、その他のシーケンスの実行中でも、再生モニターの出力を自由に制御できることになる。
【００７６】
こうして、制御部１７は表示更新処理を完了し、処理をメインルーチンにリターンさせる。
【００７７】
次に、遠隔操作装置側でのバッテリーチェック時における制御部の制御動作例について、図６（ｂ）を参照しながら詳細に説明する。なお、このバッテリチェック処理ルーチンは、勿論、前記音声記録再生装置側においても行われるようになっており、例えば上述の図５に示すステップＳ４０，５１，５７のいずれか一つの処理が行われる場合に、実行されるものである。
【００７８】
いま、図１に示す遠隔操作装置において、バッテリーチェック処理が実行されると、制御部１７は、図６（ｂ）に示すバッテリチェック処理ルーチンを起動する。つまり、制御部１７は、ステップＳ７０に処理を移行し、該処理にてまず、電池電圧判定のサブルーチンを実行する。
【００７９】
すると、制御部１７は、該制御部１７に組み込まれたプログラムに従って、続くステップＳ７１，７２の判断処理で、電池電圧が予め決められた所定レベルの電圧か否かを判定し、判定結果がＯＫレベルのときは、ステップＳ７５の処理でＢ−ＯＫフラグを”１”に設定（Ｓ７５）する。一方、判定結果が警告レベルのときは、ステップＳ７４の処理でＢ−警告フラグを“１”に設定する。また、前記いずれの判定結果でもない場合には、制御部１７は、ステップＳ７３の処理でＢ−ＮＧフラグを“１”に設定してバッテリーチェックを終了する。
【００８０】
前記電池電圧の判定結果がＯＫレベル、または警告レベルと判定した場合には、制御部１７は、続くステップＳ７６の処理で電波強度判定のサブルーチンを実行する。すると、制御部１７は、該制御部１７に組み込まれたプログラムに従って、ステップＳ７７の判断処理を実行し、つまり送受信部１４の受信信号レベルが予め決められた所定レベルの電圧か否かを判定する。この場合、判定結果が所定レベル以上と判定した場合には、制御部１７は、ステップＳ７９の処理でＲ−ＯＫフラグを“１”に設定し、一方、判定結果が所定のレベルに満たないと判定した場合には、ステップＳ７８の処理でＲ−ＮＧフラグを“１”に設定する。
【００８１】
また、制御部１７は、これら判定結果を遠隔操作装置（リモコン）の表示部１６にリアルタイムに表示するように表示制御する。これにより、操作者に対して的確に告知することができる。なお、遠隔操作装置（リモコン）と装置本体との警告表示を明確に区別して表示するように制御しても良い。
【００８２】
ところで、本発明の係る遠隔操作装置を実際に構成した場合の構成例、及び録音時における表示例を図７及び図８を参照しながら詳細に説明する。
【００８３】
図７は遠隔操作装置の概略構成を示す上面図及び正面図であり、図８（ａ）は該遠隔操作装置の表示部における録音時の表示例を示し、図８（ｂ）は音声記録再生装置の概略構成を示す正面図を示している。
図７に示すように、遠隔操作装置（リモコン）６１の上面には、マイクロフォン孔６０及びイヤフォンジャック６６が配設されている。製品仕様によっては、マイクジャックなどを配設してもよい。
【００８４】
遠隔操作装置６１の正面には、ＬＣＤ６５，録音スイッチ（ＲＥＣ）６９，再生スイッチ（ＰＬＡＹ）６７，早送りスイッチ（ＦＦ）６８，早戻しスイッチ（ＲＥＷ）７０，停止スイッチ（ＳＴＯＰ）６３，メニュースイッチ（ＭＥＮＵ）６４，及び消去スイッチ（ＥＲＡＳＥ）６２等の表示部を含む各スイッチがそれぞれ配設されている。なお、前記操作スイッチは、通常タクティルプッシュスイッチ（Tactile Push Switch ）といわれるフェザータッチのスイッチを用いることが多い。
【００８５】
まず、使用者の操作によって遠隔操作装置６１の録音スイッチ（ＲＥＣ）６９をオンにすると、装置本体は録音動作を開始する。このとき、録音動作状態であることを操作者に告知するために、制御部１７による表示制御によって、ＬＣＤ６５には、例えば図８（ａ）に示すような表示を行う。
【００８６】
図８（ａ）において、パターン表示８０は、録音中の音声データを収納するフォルダを表す。パターン表示７１は、録音中の録音モードを表す。パターン７２は、録音中であることを表す。パターン表示７３は、録音可能な残り時間を表す。パターン表示７４は、録音経過時間を表す。したがって、このようにな表示を行うことにより、リモコン操作時においても各動作モードの操作状態を容易に確認することができる。
【００８７】
一方、音声記録再生装置は、例えば図８（ｂ）に示すように構成され、該装置本体７６の正面には、パワースイッチ（ＰＯＷＥＲ）７８，ＬＥＤ７５，及びスピーカ７７が配設されている。パワースイッチ（ＰＯＷＥＲ）７８がオンのときＬＥＤ７５が点灯するので、使用者は、装置本体が動作状態か否かを容易に確認することができる。この状態において、リモコンから電波７９として音声信号が送信され、装置本体で受信して録音される。
【００８８】
再生時、装置本体から送信される音声信号は、遠隔操作装置で受信され、上述したように再生音は、前記イヤフォンジャック６６に出力される。これにより、イヤホンジャック６６に差し込まれたマイクロホン１１（図１参照）によってその音声を再生することが可能となる。
【００８９】
なお、音声記録再生装置は、前述の図８（ｂ）に示すような形態に限定されるものではなく、例えば、処理速度，記憶容量，及びソフトの汎用性に優れたパソコンを用いて構成しても良い。また、複数の遠隔操作装置（リモコン）に対応できるように、装置本体を多チャンネル化となるように構成しても良い。
【００９０】
（効果）
したがって、本実施の形態によれば、離れたところにある装置本体の録再動作の良し悪しを、手元の遠隔操作装置（リモコン）で視聴しながら確認することができるので、仮に装置本体にトラブルが起きたとしても容易に確認することができる。これにより、録音の失敗が無くなり使い勝手も著しく向上することができる。また、装置本体及び遠隔操作装置（リモコン）の双方向通信が良好に行われていないときは、装置本体の録音動作を中断するとともに、遠隔操作装置（リモコン）の録音モニターを停止するように自動的に制御されるので、誤録音の持続を未然に防止することもできる。よって、従来にはない使用者にとっても使い勝手が良く、且つ高性能な遠隔操作装置を実現でき、しかも新たに部品を用いることなく実現できるので、装置全体の低コスト化にも寄与する。
【００９１】
［付記項］
（付記項１）  音声の記録及び再生を行うことが可能な音声記録再生装置と双方向のワイヤレス通信を行うことが可能な遠隔操作装置において、
前記音声記録再生装置を制御するための操作スイッチと、
前記操作スイッチの操作に応答して前記音声記録再生装置の動作を制御する制御信号を発生させる制御部と、
前記制御信号を前記音声記録再生装置に送信する第１の送信手段と、
前記音声記録再生装置からの音声信号及び前記音声記録再生装置の動作状態を示す状態信号を受信手段と、
前記音声信号を再生する音声再生部と、
前記音声記録再生装置が録音動作を行っているときには前記音声記録再生装置内に記録されている音声データの再生を禁止する禁止手段と、
を具備したことを特徴とする遠隔操作装置。
【００９２】
（付記項２）  前記禁止手段は、前記音声再生部の音声信号の入出力を切換可能なスイッチと前記音声記録再生装置の再生部への音声信号の入出力を切換可能なスイッチとを含み、これらのスイッチは、前記制御部によって連動制御されることを特徴とする付記項１に記載の遠隔操作装置。
【００９３】
（付記項３）  さらに、前記制御部により表示制御がなされるもので、前記遠隔操作装置の動作状態を表示するとともに、前記状態信号に基づいて前記音声記録再生装置の動作状態を表示する表示部を設けたことを特徴とする付記項１に記載の遠隔操作装置。
【００９４】
（付記項４）  音声の記録及び再生を行うことが可能な音声記録再生装置と双方向のワイヤレス通信を行うことが可能な遠隔操作装置において、
前記音声記録再生装置内の記録媒体に記録される音声のモニター信号及び前記音声記録再生装置の動作状態を示す状態信号を受信する受信手段と、
前記モニター信号を再生するモニター信号再生手段と、
前記状態信号に基づいて前記音声記録再生装置の録音動作異常を検出する異常検出手段と、
前記録音動作異常を検出した際には前記モニター信号の再生を停止する停止手段と、
を具備したことを特徴とする遠隔操作装置。
【００９５】
（付記項５）  音声の記録及び再生を行うことが可能な音声記録再生装置と双方向のワイヤレス通信を行うことが可能な遠隔操作装置において、
前記音声記録再生装置内の記録媒体に記録される音声のモニター信号を受信するモニター信号受信手段と、
前記モニター信号を再生するモニター信号再生手段と、
前記音声記録再生装置との通信電波の強度が所定レベル以下であるか否かを検出する検出手段と、
前記通信電波の強度が所定値のレベル以下であったときには前記モニター信号の再生を停止する停止手段と、
を具備したことを特徴とする遠隔操作装置。
【００９６】
（付記項６）  前記停止手段は、さらに前記音声記録再生装置での録音動作を停止させることを特徴とする付記項５に記載の遠隔操作装置。
【００９７】
（付記項７）  前記停止手段は、該装置における各種動作全般を制御する制御手段と、前記モニタ信号再生手段へのモニター信号の入出力を切換可能なスイッチとを含み、該スイッチを前記制御部によってオフすることにより、前記モニタ信号の再生を停止させることを特徴とする付記項４または付記項５に記載の遠隔間操作装置。
【００９８】
【発明の効果】
以上、説明したように本発明によれば、音声記録再生装置が録音動作を行っていると判断したときには、受信した音声記録再生装置からの音声信号の再生を禁止するように制御することで、録音等の動作状態を容易に確認することができるとともに、使いやすく誤操作がないように音声再生記録装置を遠隔操作できる遠隔操作装置を実現できる。すなわち、離れたところにある装置本体の録再動作の良し悪しを、手元の遠隔操作装置（リモコン）で視聴しながら確認することができるので、仮に装置本体にトラブルが起きたとしても容易に確認することができる。これにより、録音の失敗が無くなり使い勝手も著しく向上することができる。また、装置本体及び遠隔操作装置（リモコン）の双方向通信が良好に行われていないときは、装置本体の録音動作を中断するとともに、遠隔操作装置（リモコン）の録音モニターを停止するように自動的に制御されるので、誤録音の持続を未然に防止することもできる。よって、従来にはない使用者にとっても使い勝手が良く、且つ高性能な遠隔操作装置を実現できる。
【図面の簡単な説明】
【図１】本発明の遠隔操作装置の一実施の形態を示し、該装置の概略構成を示すブロック図。
【図２】図１の遠隔操作装置が適用される音声記録再生装置の概略構成を示すブロック図。
【図３】図２の装置本体のシステム制御部における制御動作例を示すフローチャート。
【図４】図１の遠隔操作装置の制御部における制御動作例を示すフローチャート。
【図５】図２の装置本体の録音実行時におけるシステム制御部の制御動作例を示すフローチャート。
【図６】図１の遠隔操作装置の制御部における表示更新処理ルーチン及びバッテリチェック処理ルーチンの制御動作例を示すフローチャート。
【図７】実際の遠隔操作装置の構成例を示す構成図。
【図８】遠隔操作装置の録音時における表示部の表示例及び装置本体の構成例を示す説明図。
【符号の説明】
１０…スイッチ、
１１…ヘッドフォン、
１２…マイクロフォン（ＭＩＣ）、
１３…音声入力部、
１４…送受信部（リモコン側）、
１５…アンテナ（リモコン側）、
１６…表示部、
１７…制御部（ＣＰＵ）、
１８…操作部、
１９…音声再生部、
２０…スイッチ、
２１…アンテナ（本機側）、
２２…送受信部（本機側）、
２３…コーデック、
２４…音声再生部、
２５…スピーカ、
２６…デジタル信号処理部（ＤＳＰ）、
２７…システム制御部（ＣＰＵ）、
２８…記憶部（メモリ）、
２９…スイッチ。
【図１】
0004685216.tif 000002
【図２】
0004685216.tif 000003
【図３】
0004685216.tif 000004
【図４】
0004685216.tif 000005
【図５】
0004685216.tif 000006
【図６】
0004685216.tif 000007
【図７】
0004685216.tif 000008
【図８】
0004685216.tif 000009